(57)【特許請求の範囲】
【請求項１】
口頸部（２）を起立する容器体（１）と、
口頸部（２）外面へ嵌合させた雄ねじ筒（13）の上部内面から内向きフランジ（14）を介して上面閉塞でかつ筒壁に第１窓孔（15）を有する液体通路筒（16）を起立する基筒部材（11）と、
上記雄ねじ筒（13）外面へ螺合させた雌ねじ筒（31ａ）上部から、第２窓孔（35）付きの圧縮筒（31ｂ）を起立し、該圧縮筒（31ｂ）上端から逆止弁（37）付きのガス抜き筒（38）を起立する中間筒部材（31）と、
上記雌ねじ筒（31ａ）外面へ嵌着させた下方筒部（52）上端から圧縮筒（31ｂ）外面を覆って中間筒（53）を起立し、更に該中間筒（53）上端からガス抜き筒（38）外面を覆って上部筒（54）を起立する外筒部材（51）とを備え、
上記逆止弁（37）は、ガス抜き筒（38）の中間部に、上端を弁座（40）としかつ下端を玉弁抜落ち防止突条（41）とした大内径部を設けて、該大内径部内へ玉弁を嵌合させて構成し、
上記液体通路筒（16）の上端部外面へガス抜き筒（38）の下端部を着脱自在にかつ気密に嵌合させてガス抜き弁（39）を、かつ圧縮筒（31ｂ）の上端部外面へ上部筒（54）の下端部を着脱自在にかつ水密に嵌合させて液体流出弁（55）を、それぞれ形成し、
雄ねじ筒（13）に対する雌ねじ筒（31ａ）の螺上昇状態でガス抜き弁（39）が開弁し、雄ねじ筒（13）に対する雌ねじ筒（31ａ）の螺上昇状態に於けるガス抜き筒（38）の押下げで液体流出弁（55）が開弁する
ことを特徴とする液体塗布容器。
【請求項２】
上記ガス抜き筒（38）外面と、ガス抜き筒外面を覆う上部筒（54）の上方部分内面とのいずれかの一方に液体流出用溝（42）を縦設した
ことを特徴とする請求項１記載の液体塗布容器。
【請求項３】
上記中間筒部材（31）の雌ねじ筒（31ａ）と圧縮筒（31ｂ）とを別部材で形成し、それ等両筒の上端筒部と下端筒部とを嵌着させた
ことを特徴とする請求項１又は２記載の液体塗布容器。
【請求項４】
上記雌ねじ筒（31ａ）の上部内面から内向きフランジを介して第３シール筒（34）を垂下し、該第３シール筒（34）を、上記基筒部材（11）の内向きフランジ（14）から起立させた第２シール筒（18）内面へ水密にかつ上下方向への摺動が可能に嵌合させ、又上記内向きフランジ（14）からは容器体口頸部内面へ水密に嵌合させて第１シール筒（17）を垂下させた
ことを特徴とする請求項３記載の液体塗布容器。
【発明の詳細な説明】
【技術分野】
【０００１】
本発明は揮発性の成分を含む液体を収納する液体塗布容器に関する。
【背景技術】
【０００２】
容器体口頸部内へ、長筒上端の内向きフランジから短筒を垂下する筒状口栓を嵌合させると共に、基筒上端から数条の螺線を起立させてそれ等螺線上端を、小筒下端に付設した外向きフランジ下面へ連結した部材を設けて、該部材の小筒を上記短筒に挿通させて筒状口栓上方へ起立させると共に外向きフランジ上面を小筒下端面へ当接させ、かつ複数の螺条を長筒内へ遊挿し、又基筒を長筒の下端部内へ装着させ、上記小筒の上端外面へ塗布用球状体を嵌着させ、更にそれ等球状体の上部を半球状頂部で覆い、該、頂部下端から外向きフランジ状部を介して垂下させた周壁を容器体口頸部外面へ螺合させ、上記半球状頂部の下部内面一部に突子を付設したキャップを嵌合させ、該キャップ取外し時に上記突子が塗布用球状体に触れて小筒を介して外向きフランジを傾け、該外向きフランジ一部を短筒下端面から離すことで、容器体内のガスが短筒と小筒との間を通って排出できるようにした容器が知られている（特許資料１）。  
【特許文献１】特許第３５３０２８８号。
【発明の開示】
【発明が解決しようとする課題】
【０００３】
上記従来例の場合は、キャップ取外し時に容器体内ガスを排出するためそのガス排出の時間が短く容器体内にガスが残るおそれがあった。
本発明はそのガス排出を確実に行えるよう設けたものである。
【課題を解決するための手段】
【０００４】
第１の手段として、口頸部２を起立する容器体１と、
口頸部２外面へ嵌合させた雄ねじ筒13の上部内面から内向きフランジ14を介して上面閉塞でかつ筒壁に第１窓孔15を有する液体通路筒16を起立する基筒部材11と、
上記雄ねじ筒13外面へ螺合させた雌ねじ筒31ａ上部から、第２窓孔35付きの圧縮筒31ｂを起立し、該圧縮筒31ｂ上端から逆止弁37付きのガス抜き筒38を起立する中間筒部材31と、
上記雌ねじ筒31ａ外面へ嵌着させた下方筒部52上端から圧縮筒31ｂ外面を覆って中間筒53を起立し、更に該中間筒53上端からガス抜き筒38外面を覆って上部筒54を起立する外筒部材51とを備え、
上記逆止弁37は、ガス抜き筒38の中間部に、上端を弁座40としかつ下端を玉弁抜落ち防止突条41とした大内径部を設けて、該大内径部内へ玉弁を嵌合させて構成し、
上記液体通路筒16の上端部外面へガス抜き筒38の下端部を着脱自在にかつ気密に嵌合させてガス抜き弁39を、かつ圧縮筒31ｂの上端部外面へ上部筒54の下端部を着脱自在にかつ水密に嵌合させて液体流出弁55を、それぞれ形成し、
雄ねじ筒13に対する雌ねじ筒31ａの螺上昇状態でガス抜き弁39が開弁し、雄ねじ筒13に対する雌ねじ筒31ａの螺上昇状態に於けるガス抜き筒38の押下げで液体流出弁55が開弁する如く構成した。
【０００５】
第２の手段として上記第１の手段を有すると共に、上記ガス抜き筒38外面と、ガス抜き筒外面を覆う上部筒54の上方部分内面とのいずれかの一方に液体流出用溝42を縦設した。
【０００６】
第３の手段として上記第１又は第２の手段を有すると共に、上記中間筒部材31の雌ねじ筒31ａと圧縮筒31ｂとを別部材で形成し、それ等両筒の上端筒部と下端筒部とを嵌着させた。
【０００７】
第４の手段として上記第３の手段を有すると共に、上記雌ねじ筒31a の上部内面から内向きフランジを介して第３シール筒34を垂下し、該第３シール筒34を、上記基筒部材11の内向きフランジ14から起立させた第２シール筒18内面へ水密にかつ上下方向への摺動が可能に嵌合させ、又上記内向きフランジ14からは容器体口頸部内面へ水密に嵌合させて第１シール筒17を垂下させた。
【発明の効果】
【０００８】
第１の手段のようにすることで、図２が示すように基筒部材11に対して外筒部材51と共に中間筒部材31を下降させて容器体内が密封された状態から、中間筒部材31と共に外筒部材51を螺上昇させると、図３のようにガス抜き弁39が開いてガス抜き筒38内を通って容器体内高圧ガスは排出され、中間筒部材および外筒部材を下降させない限りガス排出路は閉塞されないから、容器体内にガスが溜まることはなく、又該状態から図４のようにガス抜き筒38上端を被塗布面へ押付けてガス抜き筒38を外筒部材51の上部筒54内へ押込むことで液体流出弁55が開いて塗布でき、又被塗布面からガス抜き筒38を離すことで該ガス抜き筒は弾性復帰して液体流出弁を閉塞することとなり、それ等の操作が容易である。
【０００９】
第２の手段のようにすることで、液体流出用溝42内を通って塗布液体を流出させることが出来、その塗布液体流出量の調整が容易となる。
【００１０】
第３の手段のようにすることで、圧縮筒だけを弾性材で形成でき、又雌ねじ筒31ａと圧縮筒31ｂとを別成形することで中間筒部材31の成形が容易となる。
【００１１】
第４の手段のようにすることで、液体流出路途中における液洩れを防止できる。
【発明を実施するための最良の形態】
【００１２】
以下図面について説明すると、本願発明の主要部材は、容器体と、基筒部材と、中間筒部材と、外筒部材とからなるもので、そのほかキャップを設けてもよく、又上記中間部材は雌ねじ筒と圧縮筒との二部材で形成してもよい。
【００１３】
まず容器体１は、有底の胴部上端から肩部を介して口頸部２を起立する。その口頸部の下部外面には外向きフランジ３を付設しており、その外向きフランジの基部上面へは適当数の突部４を付設し、又口頸部の中間部外面へは係合突条５を周設している。
【００１４】
基筒部材11は、上記外向きフランジ３外面へ嵌合させた下筒部12上端から内向きフランジ12ａを介して口頸部２の上部外面へ嵌合させて雄ねじ筒13を起立し、該雄ねじ筒の上部内面に付設した内向きフランジ14を容器体口頸部の上面へ載置させてその内向きフランジ内周から上端面閉塞でかつ筒壁に第１窓孔15を穿設した液体通路筒16を起立する。上記内向きフランジからは口頸部２内面へ嵌合させて第１シール筒17を垂下し、又第２シール筒18を起立している。又上記内向きフランジ12ａ下面からは既述突部４側面へ係合させて回転防止板19を垂下する。上記液体通路筒16の上端部は上向き段部を介して小外径部16ａとしている。又雄ねじ筒13の下部内面には凹溝20を周設して該凹溝内へ、既述口頸部に設けた係合突条５を嵌合させて口頸部２に対して基筒部材11の上方抜出しを防止している。更に雄ねじ筒の下部外面に第１係合突条21を周設している。
【００１５】
中間筒部材31は、図示例において雌ねじ筒31ａと圧縮筒31ｂとで形成しており、雌ねじ筒31ａはその筒下部内面を雌ねじを有しない筒部とし、その筒部下端内面へ第２係合突条32を周設させ、筒上部内面へ設けた雌ねじを雄ねじ筒13に螺合させている。雌ねじ筒上端からは内向きフランジを介して連結筒33を起立し、該連結筒の中間部内面から更に内向きフランジを突設して該内向きフランジ内端から既述第２シール筒18内面へ摺動自在に嵌合させて第３シール筒34を垂下させている。
【００１６】
圧縮筒31ｂは上記連結筒33の上部内面へ筒下端部を抜出し不能に嵌着させ、又筒下部の上端から上部小径の第２窓孔35付きのテーパ状筒36を起立し、そのテーパ状筒上端から逆止弁37付きのガス抜き筒38を起立させている。そのガス抜き筒下端は大内径部に形成してその大内径部内へ既述液体通路筒16の上端部が形成する小外径部16ａ外面を嵌合させ、その下端部内面を上向き段部上面へ載置させ、それ等大内径部の内面と小外径部分外面とで、ないし上記ガス抜き筒38の下端部内面と上向き段部上面とでガス抜き弁39を形成している。ガス抜き筒38はその中間部を大内径筒部としてその大内径部内へ玉弁を嵌合させ、大内径部の内面上端を弁座40とし、かつ下端を玉弁抜落ち防止突条41とし、図３が示すようにガス抜き弁39開弁状態ではガス抜き筒38内を通ってガスが排出されるが、図４が示すように容器倒立状態にあっては玉弁が上方の弁座40に接して該ガス抜き筒内を通って容器体内液体が流出しないよう設けている。ガス抜き筒38外面へは複数の液体流出用溝42を縦設している。
【００１７】
既述テーパ状筒36は、図３が示すようにガス抜き弁開弁状態からのガス抜き筒38押下げにより弾性圧縮可能に形成するものであるから、複数第２窓孔35間の筒壁部分を巾狭に形成してその弾性圧縮が容易としてもよく、又そのテーパ状筒を複数の螺条で伸縮自在に形成してもよい。
【００１８】
該中間筒部材31は図２が示す下降状態からの螺動上昇で図３のようにガス抜き弁39が開き、上限まで達したとき雌ねじ筒下端内面の第２係合突条32が雄ねじ筒下部外面の第１係合突条21下面へ係合して抜出しを防止し、又このとき第３シール筒34はその下部内面を第２シール筒18の上部内面に水密に接している。
【００１９】
外筒部材51は、既述雌ねじ筒31ａ外面へ固着させた下方筒部52上端から、内向きフランジを介して圧縮筒外面を覆う中間筒53を起立し、該中間筒上端からガス抜き筒38外面を覆って上部筒54を起立する。
【００２０】
中間筒53は圧縮筒31ｂと同様に上部小径のテーパ状としており、又上部筒54はガス抜き筒38の外径とほぼ同内径としている。ガス抜き筒外面へ縦設した液体流出溝42は上部筒54内面へ縦設してもよい。中間筒53下端からは第４シール筒56を垂設して該第４シール筒を中間筒部材の連結筒33外面へ気密に嵌合させている。
【００２１】
中間筒53上端と上部筒下端との接合部下面は、圧縮筒31ｂの上端部外面へ気密に接して液体流出弁55を形成する。
【００２２】
キャップ61は、図１が示すように既述基筒部材11の下筒部12および外筒部材51の下方筒部52外面を覆う下部周壁62上端から下方内向きフランジ63を介して上部小径のテーパ状の上部周壁64を起立し、又該上部周壁上端から上方内向きフランジ65を介して既述外筒部材51の上部筒54外面へ嵌合させる口キャップ66を付設している。
【００２３】
下部周壁62の下部内面は基筒部材の下筒部12外面へ螺合させ、又口キャップの周壁67内面は外筒部材51の上部筒54外面へ気密に嵌合させている。
【００２４】
上記容器において図１が示すようにキャップ61螺合状態から図２が示すようにキャップを外す。該状態では口頸部２内面へ第１シール筒17が、第２シール筒18内面へは第３シール筒34が、連結筒33外面へ第４シール筒56が、それぞれ気密に嵌合し、又ガス抜き弁39と液体流出弁55とが共に閉じているため、容器体内ガスは放出されない。
【００２５】
該図２の状態から図３が示すように、外筒部材51を雌ねじ筒螺脱方向へ回すと、その下方筒部と雌ねじ筒31ａとは固着させてあるため、中間筒部材31と外筒部材51とは共に螺上昇し、よってガス抜き弁39が開弁し、ガス抜き筒38内を通って容器体内ガスは放出される。
【００２６】
該図３の状態から図４のように容器を傾け、ガス抜き筒38上端を被塗布面71へ押付けると、該ガス抜き筒は、そのガス抜き筒を支持する圧縮筒31ｂが圧縮することで、ガス抜き筒を囲成する上部筒54に対して下降することとなり、該下降で液体流出弁55が開弁するから該弁を通って容器体内液体が上部筒54から流出し塗布することが出来る。ガス抜き筒押付け開放で圧縮筒31ｂは弾性復元して液体流出弁55は閉塞する。
【図面の簡単な説明】
【００２７】
【図１】キャップ嵌合状態で示す本発明容器要部の縦断面図である。
【図２】図１からキャップを外して示す縦断面図である。
【図３】図２状態から中間部材および外筒部材を上昇させた状態を示す縦断面図である。
【図４】図３の状態から容器を傾け、被塗布面へ塗布している状態を示す縦断面図である。
【符号の説明】
【００２８】
１  容器体              11  基筒部材
15  第１窓孔            16  液体通路筒
31  中間筒部材          31ａ雌ねじ筒
31ｂ圧縮筒              35  第２窓孔
38  ガス抜き筒          39  ガス抜き弁
40  弁座                51  外筒部材
52  下方筒部            53  中間筒
54  上部筒              55  液体流出弁
61  キャップ
【図１】
0004827091.tif 000002
【図２】
0004827091.tif 000003
【図３】
0004827091.tif 000004
【図４】
0004827091.tif 000005